(57)【特許請求の範囲】
【請求項１】
対物レンズと、該対物レンズにより形成した画像を観察する為の接眼レンズと、画像表示素子と、該画像表示素子を照明する照明手段と、該画像表示素子に基づく画像を拡大するターゲットレンズ光学系と、該ターゲットレンズ光学系からの光を該接眼レンズへと導く為の反射部材とを有するファインダー装置において、該ターゲットレンズ光学系の焦点距離をｆT、該接眼レンズの焦点距離をｆeとするとき、
１＜ｆe／ｆT＜６
なる条件を満たすことを特徴とするファインダー装置。
【請求項２】
前記対物レンズにより形成した画像を観察する場合と、該画像表示素子に基づく画像情報を該ターゲットレンズ光学系を介し観察する場合とで光路を切り換えていることを特徴とする請求項１のファインダー装置。
【請求項３】
前記ターゲットレンズ光学系には負の屈折力の面が存在することを特徴とする請求項１のファインダー装置。
【請求項４】
回動可能な反射部材を対物レンズと接眼レンズとの間に配置し、画像表示素子からの光束をターゲットレンズ光学系を介して該反射部材で反射させて接眼レンズに導光するようにしたファインダー装置において、該反射部材を該対物レンズと該接眼レンズとの間の光路より退避させて該対物レンズによって形成した物体像を該接眼レンズを介して観察する光学式ファインダーと、該反射部材を該対物レンズと接眼レンズとの間の光路中に配置して該画像表示素子からの光束をターゲットレンズ光学系を介して該反射部材で反射させて接眼レンズに導光して該画像表示素子に基づく画像を観察する電子ビューファインダーとを切り換え可能としており、該ターゲットレンズ光学系の焦点距離をｆT、該接眼レンズの焦点距離をｆeとするとき、
１＜ｆe／ｆT＜６
なる条件を満たすことを特徴とするファインダー装置。
【請求項５】
ハーフミラーを対物レンズと接眼レンズとの間に配置し、該対物レンズとハーフミラーとの間に光路中より挿脱可能な遮光部材を配置し、画像表示素子からの光束をターゲットレンズ光学系を介して該ハーフミラーで反射させて接眼レンズに導光するようにしたファインダー装置において、該遮光部材を光路より退避させて該対物レンズによって形成した物体像を該ハーフミラーと該接眼レンズを介して観察する光学式ファインダーと、該遮光部材を光路中に配置して該画像表示素子からの光束をターゲットレンズ光学系を介して該ハーフミラーで反射させて接眼レンズに導光して該画像表示素子に基づく画像を観察する電子ビューファインダーとを切り換え可能としており、該ターゲットレンズ光学系の焦点距離をｆT、該接眼レンズの焦点距離をｆeとするとき、
１＜ｆe／ｆT＜６
なる条件を満たすことを特徴とするファインダー装置。
【請求項６】
請求項１から５のいずれか１項記載のファインダー装置を有することを特徴とする光学機器。
【発明の詳細な説明】
【０００１】
【発明の属する技術分野】
本発明はファインダー装置及びそれを用いた光学機器に関し、例えばオプティカルビューファインダー（ＯＶＦ）と電子ビューファインダー（ＥＶＦ）との切り換えを行い、双方のファインダー像を選択してファインダー視野内で観察することができるようにしたカメラ，ビデオカメラ，電子スチルカメラ等の光学機器のファインダー装置に好適なものである。
【０００２】
【従来の技術】
従来よりフィルムカメラやビデオカメラ等の光学機器のファインダー装置においては種々のタイプのものが提案されている。
【０００３】
例えば対物レンズによって物体の虚像を作り、それを接眼レンズを通して観察する、所謂虚像型のファインダー装置としては、アルバダ式ファインダーやマーク式ファインダーが周知である。
【０００４】
図３は従来のマーク式ファインダーの要部概略図である。同図において、１１は負の屈折力を有する対物レンズ、１２は正の屈折力を有する接眼レンズ、１３は視野枠、１６はミラー、１５はターゲットレンズ（ターゲットレンズ光学系）、１４はハーフミラーである。
【０００５】
物体の観察にあたっては、対物レンズ１１、接眼レンズ１２からなる逆ガリレオ型のファインダーを用いている。又、視野枠１３の透明部分を抜けた光はミラー１６で反射し、ターゲットレンズ１５により集光されハーフミラー１４を介して接眼レンズ１２に導光され、これによって物体の虚像に重畳されている。
【０００６】
ここでターゲットレンズ１５は、視野枠１３の像を所定視度にすることで、ファインダーによる物体の視度と違和感をなくすという役割をもっている。視野枠１３の中央部近傍には測距マーク等の表示を設ける場合もある。
【０００７】
ファインダー装置においてファインダー視野枠（視野枠）の表示に液晶表示素子を使用するものが、例えば特開平７−４３７８１号公報、特開平９−２６５１２０号公報等で提案されている。通常、マーク式ファインダーは外光をその光源として活用している。
【０００８】
特開平１０−２０３８５号公報では、液晶表示素子にバックライトを有し、そのバックライトでの照明によって視野枠等を表示するマーク式ファインダーを提案している。
【０００９】
一方、ビデオカメラ等では被写体の画像を撮影系でＣＣＤ等の撮像素子に形成し、撮像素子からの電気信号を用いて液晶表示素子に画像情報を表示し、それをファインダー系で観察する、所謂ＥＶＦ(Electric View Finder)が一般的となっている。
【００１０】
【発明が解決しようとする課題】
ファインダー装置として前述のＥＶＦは観察しているファインダー像が撮像している被写体像そのものの表示である為、パララックスがないという利点を有している。しかしながらその反面、液晶表示素子の駆動にかなりの電力を要する。電子スチルカメラ等の光学機器ではコンパクトさが重要な要素となっている為に、それに搭載するバッテリー容量を少なくすることが求められている。又、ビデオカメラではＥＶＦ以外にも通常の光学式ファインダー（ＯＶＦ）が用いられている。
【００１１】
ＥＶＦとＯＶＦの双方を有する光学機器ではＥＶＦ用の液晶表示素子とは別に光学式ファインダーを独立して構成している為に、多くのスペースを必要とし、又スペースの利用効率が悪く、装置全体が大型化してくる傾向があった。
【００１２】
本発明は、スペースの有効利用を図り、装置全体の小型化が容易なＯＶＦとＥＶＦの双方の切り換えができるファインダー装置及びそれを用いた光学機器の提供を目的とする。
【００１３】
【課題を解決するための手段】
請求項１の発明のファインダー装置は、
対物レンズと、該対物レンズにより形成した画像を観察する為の接眼レンズと、画像表示素子と、該画像表示素子を照明する照明手段と、該画像表示素子に基づく画像を拡大するターゲットレンズ光学系と、該ターゲットレンズ光学系からの光を該接眼レンズへと導く為の反射部材とを有するファインダー装置において、該ターゲットレンズ光学系の焦点距離をｆT、該接眼レンズの焦点距離をｆeとするとき、
１＜ｆe／ｆT＜６
なる条件を満たすことを特徴としている。
【００１４】
請求項２の発明は請求項１の発明において、
前記対物レンズにより形成した画像を観察する場合と、該画像表示素子に基づく画像情報を該ターゲットレンズ光学系を介し観察する場合とで光路を切り換えていることを特徴としている。
【００１５】
請求項３の発明は請求項１の発明において、
前記ターゲットレンズ光学系には負の屈折力の面が存在することを特徴としている。
【００１６】
請求項４の発明のファインダー装置は、
回動可能な反射部材を対物レンズと接眼レンズとの間に配置し、画像表示素子からの光束をターゲットレンズ光学系を介して該反射部材で反射させて接眼レンズに導光するようにしたファインダー装置において、該反射部材を該対物レンズと該接眼レンズとの間の光路より退避させて該対物レンズによって形成した物体像を該接眼レンズを介して観察する光学式ファインダーと、該反射部材を該対物レンズと接眼レンズとの間の光路中に配置して該画像表示素子からの光束をターゲットレンズ光学系を介して該反射部材で反射させて接眼レンズに導光して該画像表示素子に基づく画像を観察する電子ビューファインダーとを切り換え可能としており、該ターゲットレンズ光学系の焦点距離をｆT、該接眼レンズの焦点距離をｆeとするとき、
１＜ｆe／ｆT＜６
なる条件を満たすことを特徴としている。
【００１７】
請求項５の発明のファインダー装置は、
ハーフミラーを対物レンズと接眼レンズとの間に配置し、該対物レンズとハーフミラーとの間に光路中より挿脱可能な遮光部材を配置し、画像表示素子からの光束をターゲットレンズ光学系を介して該ハーフミラーで反射させて接眼レンズに導光するようにしたファインダー装置において、該遮光部材を光路より退避させて該対物レンズによって形成した物体像を該ハーフミラーと該接眼レンズを介して観察する光学式ファインダーと、該遮光部材を光路中に配置して該画像表示素子からの光束をターゲットレンズ光学系を介して該ハーフミラーで反射させて接眼レンズに導光して該画像表示素子に基づく画像を観察する電子ビューファインダーとを切り換え可能としており、該ターゲットレンズ光学系の焦点距離をｆT、該接眼レンズの焦点距離をｆeとするとき、
１＜ｆe／ｆT＜６
なる条件を満たすことを特徴としている。
【００１８】
請求項６の発明の光学機器は請求項１から５のいずれか１項記載のファインダー装置を有することを特徴としている。
【００１９】
【発明の実施の形態】
図１は本発明のファインダー装置の実施形態１の要部断面図である。図１はビデオカメラや電子スチルカメラ等の光学機器のうちファインダー装置の部分のみを示している。図中、１は負の屈折力を有する対物レンズ、２は正の屈折力を有する接眼レンズであり、対物レンズ１により形成した物体の虚像をアイポイントＩＰよリ拡大して観察する為のものである。
【００２０】
６は回転軸６ａを中心に実線の位置と点線の位置の間で回動する反射部材（ミラー）である。４は液晶表示素子（画像表示素子）であり、撮像系（不図示）で得られた画像情報に基づいて光変調を行う機能を有している。５はバックライトであり、液晶表示素子４を照明している。３はターゲットレンズ光学系であり、液晶表示素子４からの光束を反射部材６に導光している。ターゲットレンズ光学系３は入射面に負の屈折力、射出面に正の屈折力を付与したプリズム体３ａと正の屈折力のレンズ３ｂを有している。
【００２１】
図１はElectric View Finder（ＥＶＦ）を用いている状態を示している。即ち、撮像系によって被写体像をＣＣＤ等の撮像素子に形成し、該ＣＣＤからの電気的な画像情報に基づいて液晶表示素子４を変調している。バックライト５からの光束で照明した液晶表示素子４からの画像情報に基づく光束をターゲットレンズ光学系３で虚像としている。そして該虚像を反射部材６を介して接眼レンズ２で拡大して観察している。
【００２２】
図１では対物レンズ１からの光束を反射部材６で遮光しＥＶＦ状態としている。
【００２３】
図１において反射部材６を実線の位置から点線の位置に変位させたときには、液晶表示素子４からの光束は遮光される。このときは対物レンズ１による物体像を接眼レンズ２を介して観察する逆ガリレオ型のOptical View Finder（ＯＶＦ）を構成することになる。
【００２４】
本実施形態においては、ターゲットレンズ光学系３からの光束を反射部材６で接眼レンズ２へ折り曲げる構成としている。これにより、本実施形態のような対物レンズ１の外径が接眼レンズ２の外径より大きくなる逆ガリレオ型のファインダーにおいて、比較的スペースのある接眼レンズの周辺を液晶表示素子４及びバックライト５の配置様スペースとすることが出来るようにして、スペース効率が良く、コンパクトなファインダーを構成している。プリズム体３ａの反射面は通常のマーク式ファインダーが図３に示すように被写体側に表示素子を配置しており、逆方向の折り曲げとなっている。
【００２５】
通常ＥＶＦ用の液晶表示素子は０．４インチ以上の画面サイズであるが、省電力と簡素化を追求すると０．２〜０．３インチレベルの液晶表示素子が必要となってくる。しかし、その為にはターゲットレンズ光学系で倍率（ファインダー倍率）を確保する必要があり、これは従来のマーク式ファインダーのターゲットレンズ光学系とは大きく異なるところである。本実施形態では上記した小型の液晶表示素子を使う為にターゲットレンズ光学系の焦点距離をｆT、接眼レンズの焦点距離をｆeとするとき、
１＜ｆe／ｆT＜６…（１）
なる条件を満足するようにしている。
【００２６】
本条件式（１）の下限を越えると小型の液晶表示素子を所定の倍率で拡大して表示するのが難しくなり、又、ファインダー全体が大型化してくる。又、上限を越えるとターゲットレンズ光学系の収差を良好に補正するのが難しくなってくる。
【００２７】
尚、本実施形態においてはプリズム体３ａのｒ１面及びレンズ３ｂのｒ３面を負の屈折力を有する面としており、これによって小さな寸法の液晶表示素子４を拡大表示するターゲットレンズ光学系を構成するときの収差補正を良好に行うようにしている。
【００２８】
尚、（１）式の条件は更に望ましくは、
１．５＜ｆe／ｆT＜５…（１ａ）
を満たすことが望ましい。
【００２９】
図２は本発明の実施形態２の要部断面図である。本実施形態は図１の実施形態１に比べてターゲットレンズ光学系３０の構成及び液晶表示素子４とバックライト５の配置、光路中より挿脱可能な遮光部材７を新たに設けたこと、反射部材の代わりに固定のハーフミラー６０を設けたこと等が異なっており、その他の構成は同じである。ターゲットレンズ３０は２つの正の屈折力のレンズ３０ａ，３０ｂを有している。
【００３０】
図２はＥＶＦ状態を示しており、遮光部材７で対物レンズ１からの光束を遮光している。そして液晶表示素子４に基づく画像情報をターゲットレンズ光学系３０、ハーフミラー６０、そして接眼レンズ２を介して観察している。
【００３１】
ＯＶＦとして用いるときはバックライト５を消灯し、遮光部材７を光路中より退避させている。そして対物レンズ１からの物体に基づく光束をハーフミラー６０を介し、接眼レンズ２に導光するようにしており、これによって物体像（ファインダー像）を観察している。
【００３２】
次に本発明のファインダーのターゲットレンズ光学系と接眼レンズの数値例を示す。
【００３３】
数値例においては反射部材６及びハーフミラー６０を省略し、展開したときの光路を想定している。そして数値例においておいてｒｉは図に示すように液晶表示素子側より順に第ｉ番目の面の曲率半径、ｄｉは液晶表示素子側より順に第ｉ番目の光学部材厚及び空気間隔、ｎｉとνｉは各々液晶表示素子側より順に第ｉ番目の光学部材の材質のｄ線の屈折率とアッベ数である。
【００３４】
0004500402.tif 000002
【００３５】
【発明の効果】
本発明によれば、スペースの有効利用を図り、装置全体の小型化が容易なＯＶＦとＥＶＦの双方の切り換えができるファインダー装置及びそれを用いた光学機器を達成することができる。
【図面の簡単な説明】
【図１】  本発明の実施形態１の要部断面図
【図２】  本発明の実施形態２の要部断面図
【図３】  従来のアルバダ式ファインダーの要部断面図
【符号の説明】
１，１１  対物レンズ
２，１２  接眼レンズ
３，３０  ターゲットレンズ光学系
４        液晶表示素子
５        バックライト
６        反射部材
７        遮光部材
６０      ハーフミラー
３ａ      プリズム部材
３ｂ      レンズ
３０ａ    レンズ
３０ｂ    レンズ
【図１】
0004500402.tif 000003
【図２】
0004500402.tif 000004
【図３】
0004500402.tif 000005